(57)【要約】  無線通信機器でのセル間干渉を管理する方法は、第１の候補サブフレームの組を示す情報を取得することを含む。候補サブフレームの各々は、当該サブフレームの間の第２のセルでの送信に関連する候補条件を満たす。方法はまた、第１のセルの無線通信機器へのダウンリンク送信に関連する少なくとも１つのサブフレームを特定すること、及び特定されたサブフレームが候補サブフレームの組の中に含まれているかどうかを判断することを含む。特定されたサブフレームが候補サブフレームの組の中に含まれる場合には、方法は特定されたサブフレームの間に少なくとも１つのダウンリンク送信を受信することを含む。特定されたサブフレームが候補サブフレームの組の中に含まれていない場合には、方法は、特定されたサブフレームの中でダウンリンク送信が起こらないと想定すること、特定されたサブフレームの中でダウンリンク送信を受信しないと決定すること、及び特定されたサブフレームに関連付けられたダウンリンク送信に対して事前に定義した結果を想定することのうちの一又は複数を実施することを含む。【選択図】図６
2015515783.tif 000002
【特許請求の範囲】
【請求項１】
アップリンク送信上のフィードバックを受信するための無線通信機器での方法であって、前記方法は：
第１のセルのダウンリンク送信に対する第１の候補サブフレームの組を示す情報を取得すること（７００）であって、各候補サブフレームはそのサブフレームの間の第２のセルで送信に関連する候補条件を満たす取得することと；
前記第１のセルで前記無線通信機器へのダウンリンク送信に関連付けられた少なくとも１つのサブフレームを特定すること（７０６）と；
前記特定されたサブフレームが前記候補サブフレームの１つである場合に、前記特定されたサブフレームの間に少なくとも１つのダウンリンク送信を受信すること（７１２）と；
前記特定されたサブフレームが前記候補サブフレームの１つではない場合に、
前記特定されたサブフレームの中でダウンリンク送信を想定しないこと
前記特定されたサブフレームの中でダウンリンク送信を受信しないように決定すること
前記特定されたサブフレームの中で受信した前記ダウンリンク送信に対して事前に定義した結果を想定すること
のうちの一又は複数を実施すること（７１０、７１４）と
を備える方法。
【請求項２】
前記ダウンリンク送信が送信されたよりも上位の層で送信される分離送信を介して、前記ダウンリンク送信で送信された前記情報を受信することをさらに含む、請求項１に記載の方法。
【請求項３】
前記ダウンリンク送信はアップリンク送信に関するフィードバック情報を含み、さらに
前記アップリンク送信を送信する前に前記事前に定義した結果を特定する結果情報を受信することと：
前記アップリンク送信を送信することと
をさらに含む、請求項１に記載の方法。
【請求項４】
前記結果情報は、前記アップリンク送信が前記事前に定義した結果として成功裏に受信されたことを示す値を特定する、請求項３に記載の方法。
【請求項５】
前記事前に定義した結果は、前記アップリンク送信が成功裏に受信されたことを示しているかどうかを決定することと；
前記事前に定義した結果が前記アップリンク送信が成功裏に受信されたことを示しているという決定に対応して、次の再送信の機会で前記アップリンク送信の再送信を抑制することと；
トグルされない新しいデータインジケータを有するスケジューリンググラントであって、その後の再送信の機会での送信をスケジュールするスケジューリンググラントを受信することと；
トグルされない新しいデータインジケータを有する前記スケジューリンググラントの受信に応答して、前記その後の再送信の機会で前記アップリンク送信を再送信することと
をさらに含む、請求項３に記載の方法。
【請求項６】
複数の候補サブフレームを示す前記情報は、複数のサブフレームの各々に対応するビットを含むビットマップを含み、各サブフレームに対応する前記ビットは、そのサブフレームに関連する結果が受信したフィードバック情報又は所定の規則に基づいて決定されるべきかどうかを示す、請求項１に記載の方法。
【請求項７】
前記候補サブフレームは、第２のセルがマルチキャストブロードキャスト単一周波数ネットワーク（ＭＢＳＦＮ）オールモストブランクサブフレーム（ＡＢＳ）を使用するように構成されるサブフレームを含む、請求項１に記載の方法。
【請求項８】
トリガ条件が満たされているかどうかを決定すること（７０２）をさらに含む、請求項１に記載の方法。
【請求項９】
前記トリガ条件は、前記第１のネットワークノード又は前記無線通信機器によって実施される干渉測定に関連する、請求項７に記載の方法。
【請求項１０】
前記トリガ条件は、前記無線通信機器が前記無線通信機器の属さないクローズドサブスクライバグループにサービス提供する第２のネットワークノードのセルの範囲内に配置されているかどうかに関連する、請求項７に記載の方法。
【請求項１１】
前記トリガ条件は、前記無線通信機器が前記第１のネットワークノードのセルレンジエクスパンションゾーンの範囲内で動作しているかどうかに関連する、請求項７に記載の方法。
【請求項１２】
前記トリガ条件は、前記無線通信機器によって行われる任意の数の再送信に関連する、請求項７に記載の方法。
【請求項１３】
前記候補条件は、強い干渉に対処する前記無線通信機器の能力、又は前記無線通信機器に関連する受信機の種類に関連する、請求項１に記載の方法。
【請求項１４】
無線通信のための装置（２０）であって、前記装置は：
アップリンク送信を送信するように構成された送信機（９０８）と；
前記アップリンク送信に関連付けられたフィードバック情報を受信するように構成された受信機（９１０）と；さらに
各候補サブフレームはそのサブフレームの間の第２のセルで送信に関連する候補条件を満たす第１のセルでダウンリンク送信のための第１の候補サブフレームの組を示す情報を取得し；
前記第１のセルで前記装置へのダウンリンク送信に関連付けられた少なくとも１つのサブフレームを特定し；
前記特定されたサブフレームが前記候補サブフレームの１つである場合に、前記特定されたサブフレームの間に少なくとも１つのダウンリンク送信を受信し；
前記特定されたサブフレームが前記候補サブフレームの１つではない場合に：
前記特定されたサブフレームの中でダウンリンク送信を想定しないこと；
前記特定されたサブフレームの中でダウンリンク送信を受信しないように決定すること；並びに
前記特定されたサブフレームの中で受信した前記ダウンリンク送信に対して事前に定義した結果を想定すること；
のうちの一又は複数を実施する
ように構成されたプロセッサ（９０２）と
を備える無線通信のための装置。
【請求項１５】
前記受信機は、前記ダウンリンク送信が送信されたよりも上位の層で分離送信を介して、前記ダウンリンク送信で送信された前記情報を受信するようにさらに構成されている、請求項１４に記載の装置。
【請求項１６】
前記ダウンリンク送信はアップリンク送信に関するフィードバック情報を含み、前記プロセッサは：
前記アップリンク送信の送信に先立って前記受信機を介して前記事前に定義した結果を特定する結果情報を受信し；さらに
前記送信機を使用して前記アップリンク送信を送信する
ようにさらに動作可能である、請求項１４に記載の装置。
【請求項１７】
前記結果情報は、前記アップリンク送信が前記事前に定義した結果として成功裏に受信されたことを示す値を特定する、請求項１６に記載の装置。
【請求項１８】
前記プロセッサは：
前記事前に定義した結果が前記アップリンク送信が成功裏に受信されたことを示しているかどうかを決定し；
前記アップリンク送信が成功裏に受信されたことを示す前記事前に定義した結果の決定に応答して、次の再送信の機会に前記アップリンク送信を再送信することを控え；
トグルされない新しいデータインジケータを有するスケジューリンググラントであって、その後の再送信の機会に送信をスケジュールするスケジューリンググラントを受信し；さらに
トグルされない新しいデータインジケータを有する前記スケジューリンググラントの受信に応答して、前記その後の再送信の機会に前記アップリンク送信を再送信するように
さらに構成されている、請求項１６に記載の装置。
【請求項１９】
複数の候補サブフレームを示す前記情報は、複数のサブフレームの各々に対応するビットを含むビットマップを含み、各サブフレームに対応する前記ビットは、そのサブフレームに関連する結果が受信したフィードバック情報又は所定の規則に基づいて決定されるべきかどうかを示す、請求項１４に記載の装置。
【請求項２０】
前記候補サブフレームは、第２のセルがマルチキャストブロードキャスト単一周波数ネットワーク（ＭＢＳＦＮ）オールモストブランクサブフレーム（ＡＢＳ）を使用するように構成されるサブフレームを含む、請求項１４記載の装置。
【請求項２１】
前記プロセッサは、トリガ条件が満たされているかどうかを決定するようにさらに構成され、前記トリガ条件は前記装置によって受ける干渉の量に関連する、請求項１４に記載の装置。
【請求項２２】
前記トリガ条件は、前記第１のネットワークノード又は前記装置によって実施される干渉測定に関連する、請求項２１に記載の装置。
【請求項２３】
前記トリガ条件は、前記装置が前記装置の属さないクローズドサブスクライバグループにサービス提供する第２のネットワークノードのセルの範囲内に配置されているかどうかに関連する、請求項２１に記載の装置。
【請求項２４】
前記トリガ条件は、前記装置が前記第１のネットワークノードのセルレンジエクスパンションゾーンの範囲内で動作しているかどうかに関連する、請求項２１に記載の装置。
【請求項２５】
前記トリガ条件は、前記装置によって行われる任意の数の再送信に関連する、請求項２１に記載の装置。
【請求項２６】
前記候補条件は、強い干渉に対処する前記装置の能力、又は前記装置に関連する受信機の種類に関連する、請求項１４に記載の装置。
【請求項２７】
無線通信機器のセル間干渉を管理する方法であって、前記方法は：
第１の候補サブフレームの組を示す情報を取得すること（８００）であって、各候補サブフレームはそのサブフレームの間に第２のセルでの送信に関連する候補条件をみたす取得すること（８００）と；
前記無線アクセスノードによってサービス提供される第１の無線通信機器へのダウンリンク送信に関連付けられる少なくとも１つのサブフレームを特定すること（８０８）と；
前記特定されたサブフレームが前記候補サブフレームの組の中に含まれているかどうかを決定すること（８１０）と；
前記特定されたサブフレームが前記候補サブフレームの組の中に含まれる場合には、前記特定されたサブフレームの間にダウンリンクを送信すること（８１４）と；さらに
前記特定されたサブフレームが前記候補サブフレームの組の中に含まれていない場合には、
前記特定されたサブフレームの間に前記特定されたサブフレームに関連する前記ダウンリンク送信を送信しないように決定すること；
前記特定されたサブフレームに関連付けられている前記ダウンリンク送信に対して事前に定義した結果が送信されたと想定すること
のうちの一又は複数を実施すること（８１６、８１８）と
を含む方法。
【請求項２８】
トリガ条件が満たされているかどうかを決定すること（８０２）をさらに含む、請求項２７に記載の方法。
【請求項２９】
前記トリガ条件は、前記第１のネットワークノード又は前記無線通信機器によって実施される干渉測定に関連する、請求項２８に記載の方法。
【請求項３０】
前記トリガ条件は、前記無線通信機器が前記無線通信機器の属さないクローズドサブスクライバグループにサービス提供する第２のネットワークノードのセルの範囲内に配置されているかどうかに関連する、請求項２８に記載の方法。
【請求項３１】
前記トリガ条件は、前記無線通信機器が前記第１のネットワークノードのセルレンジエクスパンションゾーンの範囲内で動作しているかどうかに関連する、請求項２８に記載の方法。
【請求項３２】
前記トリガ条件は、前記無線通信機器によって行われる任意の数の再送信に関連する、請求項２８に記載の方法。
【請求項３３】
無線通信のための装置（３４、３２、１０００）であって、前記装置は：
無線通信機器に無線的に情報を送信するように構成されている送信機（１０１０）と；
無線通信機器によって無線的に送信された情報を受信するように構成されている受信機（１０１２）と；さらに
第１の候補サブフレームの組を示す情報であって、各候補サブフレームがそのサブフレームの間に第２のセルでの送信に関連する候補条件を満たしている情報を取得し；
前記装置によってサービス提供される第１の無線通信機器へのダウンリンク送信に関連付けられる少なくとも１つのサブフレームを特定し；
前記特定されたサブフレームが前記候補サブフレームの組の中に含まれるかどうかを決定し；
前記特定されたサブフレームが前記候補サブフレームの組の中に含まれる場合には、前記特定されたサブフレームの間にダウンリンク送信を送信し；さらに
前記特定されたサブフレームが前記候補サブフレームの組の中に含まれない場合には、
前記特定されたサブフレームの間に前記特定されたサブフレームに関連する前記ダウンリンク送信を送信しないと決定すること；
前記特定されたサブフレームに関連する前記ダウンリンク送信に対して事前に定義した結果が送信されたと想定すること
のうちの一又は複数を実施する
ように構成されているプロセッサ（１００２）と
を備える装置。
【請求項３４】
前記プロセッサは、トリガ条件が満たされているかどうかを決定するようにさらに構成されている、請求項３３に記載の装置。
【請求項３５】
前記トリガ条件は、前記装置又は前記無線通信機器によって実施される干渉測定に関連する、請求項３４に記載の装置。
【請求項３６】
前記トリガ条件は、前記無線通信機器が前記無線通信機器の属さないクローズドサブスクライバグループにサービス提供するネットワークノードのセルの範囲内に配置されているかどうかに関連する、請求項３４に記載の装置。
【請求項３７】
前記トリガ条件は、前記無線通信機器が前記装置のセルレンジエクスパンションゾーンの範囲内で動作しているかどうかに関連する、請求項３４に記載の装置。
【請求項３８】
前記トリガ条件は、前記無線通信機器によって行われる任意の数の再送信に関連する、請求項３４に記載の装置。
【発明の詳細な説明】
【技術分野】
【０００１】
優先権の主張
本願は、そのすべての開示内容が参照によって本願に組み込まれる、「異種配置におけるＨＡＲＱフィードバック情報の高信頼性受信のための方法」と題する２０１２年３月１６日に出願されたＰＣＴ特許出願番号ＰＣＴ／ＣＮ２０１２／０７２４２９の利点を主張するものである。本開示は概して無線通信に関し、より詳しくは無線送信の信頼性の向上に関する。
【背景技術】
【０００２】
近年通信サービスの利用及び可用性が劇的に向上したことにより、無線通信ネットワークに対する需要が著しく増大している。カバレッジ、スループット、及び信頼性に対する要件は絶えず増大しているため、無線ネットワークの設計及び構成における多くの開発が加速されている。その１つの例が、従来のマクロセル基地局よりも低い最大送信出力レベルを提供する様々な種類の「低出力」ノードの配置によって、従来のマクロセル基地局が補完される「異種」ネットワークの配置であった。これらの低出力ノードは多くの場合、従来のマクロセルアクセスノードよりも小型で、製造においても運用においてもより安価である。
【０００３】
異種配置は、ネットワーク密度を高め、トラフィックのニーズ及び動作環境の変化に適合するための機構を提供する。しかしながら、異種配置は、効率的なネットワーク運用を妨げ、ユーザーの使用感を低下させることがある特有の問題を引き起こす。一般的に低出力ノードに関連した送信出力の低下は、干渉に対する感受性を高める結果となることがある。加えて、異種配置における大型セルと小型セルの混在は、異なるセルで出力能力が非対称になる結果、その他の問題を引き起こすことがある。その結果、異種配置及び他の高度なネットワークでのセル間干渉を低減する効果的な解決策が必要となっている。
【発明の概要】
【０００４】
本開示に基づいて、無線通信に関連する特定の欠点及び問題点は、大幅に低減又は除去される。具体的には、無線通信サービスを提供するためのある機器及び技術が説明される。
【０００５】
本開示の一実施形態によれば、無線通信機器でのセル間干渉を管理する方法は、候補サブフレームの第１の組を示す情報を取得することを含む。候補サブフレームの各々は、当該サブフレームの間の第２のセルでの送信に関連する候補条件を満たす。方法はまた、第１のセルの無線通信機器へのダウンリンク送信に関連する少なくとも１つのサブフレームを特定すること、及び特定されたサブフレームが候補サブフレームの組の中に含まれているかどうかを判断することを含む。特定されたサブフレームが候補サブフレームの組の中に含まれる場合には、方法は特定されたサブフレームの間に少なくとも１つのダウンリンク送信を受信することを含む。特定されたサブフレームが候補サブフレームの組の中に含まれていない場合には、方法は、特定されたサブフレームの中でダウンリンク送信が起こらないと想定すること、特定されたサブフレームの中でダウンリンク送信を受信しないと決定すること、及び特定されたサブフレームに関連付けられたダウンリンク送信に対して事前に定義した結果を想定することのうちの一又は複数を実施することを含む。
【０００６】
本開示のある実施形態によってもたらされる重要な技術的利点には、無線通信の信頼性の向上が含まれる。特定の実施形態は、無線通信機器が、特に異種ネットワークで受けるセル間干渉を低減することができる。このような実施形態は、送信エラーの回数を低減すること及び／又は無線送信が成功裏に受信される可能性を高めることができる。加えて、特定の実施形態では、干渉セルのスループットに対する影響を最小限に抑えたまま、干渉の低減が実現可能である。本発明の他の利点は、以下の図面、明細書、及び特許請求の範囲から当業者には容易に明らかになるであろう。さらに、具体的な利点は上記に列挙されているが、種々の実施形態は列挙された利点のすべて、一部を含むこと、或いは何も含まないことがある。
【０００７】
本発明及びその利点をより完璧に理解するため、添付図面と併せて、以下の説明を参照する。
【図面の簡単な説明】
【０００８】
【図１Ａ】説明されている解決策が実装される無線通信システムの特定の実施形態を図解している。
【図１Ｂ】説明されている解決策が実装される無線通信システムの特定の実施形態を図解している。
【図１Ｃ】説明されている解決策が実装される無線通信システムの特定の実施形態を図解している。
【図２Ａ】マルチキャストブロードキャスト単一周波数ネットワーク（ＭＢＳＦＮ）オールモストブランクサブフレーム（ＡＢＳ）として構成されたサブフレームに対する送信パターンの実施例を示す。
【図２Ｂ】非ＭＢＳＦＮ  ＡＢＳサブフレームとして構成されたサブフレームに対する送信パターンの実施例を示す。
【図３】実施例のフレーム構成に従うＭＢＳＦＮ構成可能なサブフレームを示す図である。
【図４】ハイブリッド自動再送要求（ＨＡＲＱ）スキームに従うＨＡＲＱシグナリングに対するタイミングを図解している。
【図５】ダウンリンク送信を保護するために使用されうる例示的なオールモストブランクサブフレーム（ＡＢＳ）パターンのタイミングに対する、例示的なＨＡＲＱ下でのＨＡＲＱシグナリングのタイミングを図解している。
【図６】事前に定義した結果が使用される別のシナリオでダウンリンク送信及び候補サブフレームの相対的なタイミングを図解している。
【図７】セル間干渉に応答する無線通信機器の特定の実施形態に対する例示的な動作を図解するフロー図である。
【図８】セル間干渉に応答する無線アクセスノードの特定の実施形態に対する例示的な動作を図解するフロー図である。
【図９】無線通信機器の特定の実施形態を図解するブロック図である。
【図１０】無線アクセスノードの特定の実施形態を図解するブロック図である。
【発明を実施するための形態】
【０００９】
図１Ａは、一又は複数の無線通信機器２０に通信サービスを提供する無線通信システム１０を図解している。無線通信システム１０は、特定の地理的エリア内の通信サービスに無線アクセスを提供するアクセスネットワーク３０、及び無線通信システム１０内で情報のバックホール配信を提供するコアネットワーク４０を含む。アクセスネットワーク３０は、ある実施形態で、複数の異なる種類の無線アクセスノード（例えば、基地局３２及び低出力ノード３４の双方）を含む複数の無線アクセスノードを含む。各無線アクセスノードは一又は複数のセル５０にサービスを提供する。セル５０が近接している（及び重なる可能性がある）ため、第１のセル５０（本明細書では「ビクティムセル」と呼ぶ）内で動作する無線通信機器２０は、ビクティムセルに重なる又は近接する第２のセル５０（本明細書では「アグレッサセル」と呼ぶ）内で発生する送信によって干渉を受けることがある。このアグレッサセルは、ビクティムセルとして同一の無線アクセスノードによってサービス提供されること、又は別の無線アクセスノードによってサービス提供されることがある。
【００１０】
加えて、上述のように、アクセスネットワーク３０は、異なる出力レベルで送信する無線アクセスノードが配備される異種ネットワークを表すことがある。無線アクセスノードが干渉セルにサービスを提供するときよりも高い出力を使用する無線アクセスノードによってビクティムセルがサービス提供される場合には、例えば図１Ａに関して、ビクティムセルが低出力ノード３４の１つによってサービス提供され、且つアグレッサセルが基地局３２の１つによってサービス提供される場合には、これはより深刻な干渉の問題を引き起こすことがある。
【００１１】
このような干渉の問題は、ある種の低出力ノード３４を利用する異種ネットワークに一般的に実装される特定の解決策によって、さらに悪化することがある。例えば、図１Ｂは、一又は複数の低出力ノード３４がクローズドサブスクライブドグループ（ＣＳＧ）を利用するように構成されているときに、無線通信システム１０のある実施形態に起こりうる問題を図解している。図１Ｂの実施例では、一又は複数の低出力ノード３４はＣＳＧを利用するように構成されている。ＣＳＧの利用により、低出力ノード３４は「クローズドサブスクライバグループ」の一部となる特定の認定ユーザーに対してサービスへのアクセスを制限することができる。ＣＳＧで構成された無線アクセスノードは、ＣＳＧのメンバである無線通信機器２０に通信サービスを提供するが、当該ノードのＣＳＧのメンバではない無線通信機器２０へのサービスは拒否する。例えば、職場で従業員にサービスを提供するため使用者によって操作されるピコセルは、その会社のすべての従業員の無線通信機器２０を含むＣＳＧで構成されてもよい。ＣＳＧを使用することにより、この低出力ノード３４は、その会社の従業員に対して隣接する基地局３２によって提供されるものを超える付加的な又はより良いサービスカバレッジを提供しうるが、エリア内の非従業員がピコセルの送信、受信、又は処理リソースに接続するのを防止することができる。
【００１２】
したがって、ＣＳＧ低出力ノード３４によってサービス提供されるセル５０で動作している非ＣＳＧ無線通信機器２０は、ＣＳＧ低出力ノード３４が最も近い無線アクセスノードであるとしても、ＣＳＧ低出力ノード３４を利用することができない。一方、ＣＳＧ低出力ノード３４によって行われる無線送信は、これらの非ＣＳＧ無線通信機器２０とこれらにサービス提供する他の無線アクセスノードとの間の通信に干渉することがある。しかも、非ＣＳＧ無線通信機器２０は、ＣＳＧ低出力ノード３４からサービスを得ることができないにもかかわらず、ＣＳＧ低出力ノード３４のきわめて近くに配置されることがあり、これにより非ＣＳＧ無線通信機器２０に対して著しい量の干渉を引き起こすことがある。例えば、図１Ｂに示した実施例では、無線通信機器２０ｇは低出力ノード３４ｇによってサービス提供されるＣＳＧのメンバではなく、低出力ノード３４ｇからサービスを得ることはできないものと想定されている。その代り、無線通信機器２０ｇはセル５０ｊの基地局３２ｇによってサービス提供される。その結果、ＣＳＧ低出力ノード３４ｇによってサービス提供されるセル３４ｇは、無線通信機器２０がセル３４ｇに重なるセル５０ｊの一部の中で動作している間に、アグレッサセルとして作用することがある。このアグレッサセル５０ｇからの干渉は、無線通信機器２０ｇが低出力ノード３４ｇにきわめて近いところで動作しているときには、きわめて強くなることがある。
【００１３】
特に異種ネットワークで起こりうる別の干渉の問題は、「セルレンジエクスパンション」（又は「セルレンジエクステンション」）（ＣＲＥ）の使用に関連している。図１Ｃは、一又は複数の低出力ノード３４がＣＲＥに対応するように構成されている実施例を図解している。ＣＲＥでは、セル選択／再選択は、例えば、付加的なエリア（図１ＣのＣＲＥゾーン５２で表される）を含むように低出力セルのカバレッジを拡張するパスロス又はパスゲインベースのアプローチに対する、従来の信号強度ベース（ＲＳＲＰベース）のアプローチとは異なる。特定のＣＲＥゾーン５２が大きくなればなるほど、その境界ではサービングセルの信号強度は弱くなる。これにより、隣接するマクロセルは、ＣＲＥゾーン５２内で動作している無線通信機器２０に対してアグレッサセルとして作用することがある。例えば、図１Ｃでは、基地局３２ｋによってサービス提供されるセル５０ｍは、低出力ノード３４ｋのＣＲＥゾーン５２ｋ内で動作している無線通信機器２０ｋに対してアグレッサセルとして作用することがある。したがって、一般に、図１Ａ〜１Ｃで示したように、セル間干渉は無線通信システムにおいて、特に異種配置を実装する無線通信システムにおいて、重大な懸念となることがある。
【００１４】
このようなセル間干渉から特定の種類のシグナリングを保護することは重要であろう。例えば、ロングタームエボリューション（ＬＴＥ）対応の無線通信システム１０のある実施形態は、送信エラーの訂正に関して、ハイブリッド自動再送要求（ＨＡＲＱ）機能を利用することができる。特定の実施形態では、ＨＡＲＱ機能は伝送ブロックを送信及び再送信するＮプロセスストップアンドウェイト機構を提供する。伝送ブロックを受信すると、受信機は伝送ブロックのデコードを試み、デコードが成功したかどうか及び／又は伝送ブロックの再送信が必要かどうかを示すフィードバック情報（例えば、受信の成功に対しては承認（ＡＣＫ）、或いは受信の失敗に対しては非承認（ＮＡＫ）を表す単一ビット）を送信することによって、デコード操作の結果を送信機に通知する。アグレッサセルからの干渉によって、この種のフィードバック情報が成功裏に送信されることが妨げられる場合には、かなり多数の不必要な再送信が発生すること及び／又は誤って受信された送信が再送信されないことがありうる。
【００１５】
加えて、ＨＡＲＱはまた、第１のスケジュールされたアップリンク送信（例えば、初回のアクセス、ハンドオーバ後、ＲＲＣ接続完了時など）及びダウンリンクでの競合解消（ＨＡＲＱフィードバックは、競合解消メッセージでエコーバックされたメッセージ３に規定されているように、自らの識別子を検出する無線通信機器２０によってのみ送信される）の双方に関して、競合ベースランダムアクセス送信のために使用されてもよい。第１のアップリンク送信ステップ又は競合解消ステップでのＨＡＲＱの失敗は、例えば、当該の無線通信機器２０によるセル無線ネットワーク一時識別子（Ｃ−ＲＮＴＩ）の検出の失敗、又は同一のＣ−ＲＮＴＩを別の無線通信機器２０に誤って割り当てることなどを引き起こすことがある。
【００１６】
無線通信システム１０のある実施形態は、送信の一部又はすべてに対して「同期ＨＡＲＱ」を利用する。例えば、ＬＴＥ実装は、アップリンク共有チャネル（ＵＬ−ＳＣＨ）上でアップリンクユーザーデータ送信に対して同期ＨＡＲＱを使用して、物理ハイブリッド自動再送要求指示チャネル（ＰＨＩＣＨ）上でのダウンリンクにＨＡＲＱフィードバック情報を提供する。同期ＨＡＲＱは、同期ＨＡＲＱフィードバック及び同期再送信を含む。このような実施形態では、フィードバック情報のダウンリンク送信及び任意のアップリンク送信のためのタイムインスタンツは、アップリンク送信のためにスケジューリングされたサブフレームに基づいて固定されており、無線アクセスノード及び当該の無線通信機器２０の双方に対して既知である。その結果、このＨＡＲＱモードで動作している場合には、ＨＡＲＱプロセスナンバの信号伝達が不要になることがある。再送信の最大回数は無線通信機器２０ごとに設定されてもよい。同期ＨＡＲＱの運用の実施例を図４に示す。
【００１７】
無線通信システム１０の特定の実施形態では、アグレッサセルでの送信は、これらのセルにサービス提供する無線アクセスノードによって行われるダウンリンク送信を制限する所定の送信パターンによって制約されることがある。これらの送信パターンは、当該のセルでダウンリンク送信を行うために使用される時間及び／又は周波数リソースを制限することがある。その結果、これらの送信パターンは、別の時間及び／又は周波数リソースのアグレッサセルによる干渉からビクティムセルを保護することができる。
【００１８】
例えば、無線通信システム１０は、あるサブフレームの間に最小量のシグナリングを送信するこれらの無線アクセスノードをもたらすオールモストブランクサブフレーム（ＡＢＳ）を利用する、無線アクセスノードを構成することができる。特定の実施形態では、ＡＢＳパターンは、当該セル５０に対して、低出力及び／又は低送信アクティビティサブフレーム（例えば、少ない数の変調シンボルが送信される或いはデータ又はシグナリングの量において他の何らかの減少が起こるサブフレーム）を定義する。例えば、潜在的なアグレッサセルに対するＡＢＳパターンは、アグレッサセルでユーザーデータが送信されていない間に任意の数のサブフレームを指定することができるが、当該サブフレームの間に制御チャネル情報が送信されていることがある。特定の実施形態では、ＡＢＳパターンは無線アクセスノード間で（例えば、Ｘ２インターフェースを介して）交換可能である。
【００１９】
さらに、特定の実施形態では、アグレッサセルによって引き起こされるセル間干渉は、マルチキャストブロードキャスト単一周波数ネットワーク（ＭＢＳＦＮ）サブフレームとしても構成される、これらのＡＢＳサブフレームの間に大幅に低減可能である。ある実施形態では、ＭＢＳＦＮサブフレームは非ＭＢＳＦＮ領域とＭＢＳＦＮ領域とに分割される。例えば、非ＭＢＳＦＮ領域は、非ＭＢＳＦＮ領域の長さが１つ又は２つのシンボルである（例えば、リソースブロックの数が１０を超えるときには、１つのシンボルが１つ又は２つのセル固有ポートと共に使用されることがある）ＭＢＳＦＮサブフレームの中で、最初の１つまたは２つの直交周波数分割多重（ＯＦＤＭ）シンボルに及ぶことがある。このような実施形態では、ＭＢＳＦＮサブフレームの中のＭＢＳＦＮ領域は、非ＭＢＳＦＮ領域の一部を構成しないＯＦＤＭシンボルとして定義されることがある。ＭＢＳＦＮサブフレームの一部は、物理マルチキャストチャネル（ＰＭＣＨ）送信などのマルチキャスト送信を実行するが、その名称にもかかわらず、すべてのＭＢＳＦＮサブフレームがこのような送信を含むわけではない。マルチキャスト送信のないＭＢＳＦＮサブフレームは、本明細書では「ブランクＭＢＳＦＮサブフレーム」と呼ばれる。
【００２０】
それにもかかわらず、ブランクＭＢＳＦＮサブフレームの中であっても、ある種のシグナリングは非ＭＢＳＦＮ領域の一部の中で送信されることがある。例えば、ＬＴＥネットワークでは、共通参照信号（ＣＲＳ）はブランクＭＢＳＦＮサブフレームの非ＭＢＳＦＮ領域内で、すなわち第１のシンボル内で送信されてもよい。しかしながら、非ＭＢＳＦＮサブフレーム内で構成されるＡＢＳ（「非ＭＢＳＦＮ  ＡＢＳ構成」）とは異なり、ブランクＭＢＳＦＮサブフレームの中で構成されるＡＢＳ（「ＭＢＳＦＮ  ＡＢＳ構成」）は、ある種の情報（例えば、ＬＴＥネットワークのＣＲＳ）はＭＢＳＦＮサブフレームのＭＢＳＦＮ領域に送信されないという事実によって、セル間干渉が減少する結果となることがある。無線通信システム１０の特定の実施形態で使用されうるＭＢＳＦＮ  ＡＢＳ構成の実施例に対するサブフレームの図は図２Ａに概略的に図解されており、一方特定の実施形態で使用されうる非ＭＢＳＦＮ  ＡＢＳ構成の実施例に対するサブフレームの図は図２Ｂに概略的に図解されている。図２Ａ及び２Ｂの実施例では、２つの送信アンテナポートは、第１のポート（「Ｒ０」で表示）及び第２のポート（斜交線で表示）に対して示された送信と共にＣＲＳに対して使用されることが想定されている。図２Ａ及び２Ｂからわかるように、潜在的なアグレッサセルがＭＢＳＦＮ  ＡＢＳで構成される場合には、送信は非ＭＢＳＦＮ  ＡＢＳで構成される場合よりもサブフレーム当たりより少ないシンボル数で起こり、結果的にＭＢＳＦＮ  ＡＢＳで構成されるアグレッサセルからの全体的な干渉は減少する。
【００２１】
しかしながら、すべてのダウンリンク（ＤＬ）サブフレームがＭＢＳＦＮ構成可能なわけではない。図３は、周波数分割二重通信（ＦＤＤ）が利用される場合、ＭＢＳＦＮ構成がロングタームエボリューション（ＬＴＥ）ネットワークの３ＧＰＰ  ＴＳ３６．３３１仕様書の下でどのように制約されるかの実施例を示している。図３に示すように、一部のシステム情報はこれらのサブフレームで送信される必要があるため、ＭＢＳＦＮはＦＤＤシステム内のサブフレーム＃０、＃４、＃５、＃９で構成されえないことがある。したがって、このような実施形態では、サブフレーム＃１、＃２、＃３、＃６、＃７、及び＃８はＭＢＳＦＮサブフレームで構成されえない。図３に示したＦＤＤ制約とは対照的に、時分割二重通信（ＴＤＤ）ＬＴＥシステムでは、ＭＢＳＦＮに対してサブフレーム＃３、＃４、＃７、＃８及び＃９のみが構成されうる。より多くのサブフレームを保護するため、ＭＢＳＦＮ及び非ＭＢＳＦＮ  ＡＢＳの混合を使用することが可能であるが、ＭＢＳＦＮ及び非ＭＢＳＦＮ  ＡＢＳサブフレームの混合は、不正確なセル状態情報のレポート、高度な受信機を備えた無線通信機器２０に対する効率の低い復調アルゴリズム、ネットワーク構成上の不必要な制約、及びアグレッサセルでのスループットの低下、などの他の問題を生む可能性がある。加えて、利用可能なＭＢＳＦＮサブフレームの一部は、干渉の解除以外の目的で使用されることが必要になることがある。したがって、無線通信システム１０は、保護することが必要であるか保護することが望ましいビクティムセル内のすべてのダウンリンクサブフレームを保護するため、ＡＢＳに対して利用可能な十分なＭＢＳＦＮセルを有していないことがある。これは、ＭＢＳＦＮサブフレームがある時点で干渉を低減するためだけに使用されうること、及び特定の実施形態では、保護されうる期間がネットワークごとに変わりうることを意味する。
【００２２】
したがって、アグレッサセル送信パターンが構成されうる方法に関する制約は、ＭＢＳＦＮ  ＡＢＳパターンなどの送信パターンを使用して、ビクティムセル内で必要なすべての送信リソースを干渉から保護することを不可能にすることがある。例えば、無線通信システム１０の特定の実施形態でＨＡＲＱタイミングが８ｍｓの周期に基づいていると想定すると、これはＬＴＥに対して設定されたＨＡＲＱ周期と矛盾しない。アップリンクグラントがサブフレームｎに最初に割り当てられると、ＨＡＲＱフィードバック情報（例えば、ＡＣＫ／ＮＡＫの指示）はサブフレーム（ｎ＋８ｋ）ｍｏｄ（１０）のＰＨＩＣＨチャネル上で送信される。ここでｋは任意の正の整数値であり、ｍｏｄ（．）は除算後の余りである。ｎが奇数の場合、サブフレーム１、９、７、５、及び３は、対応するＨＡＲＱプロセスに関してＡＣＫ／ＮＡＫ情報を有することになる。この場合、サブフレーム９及び５は保護が必要になるが、これらのサブフレームは図３に図解されている実施例ではＭＢＳＦＮ構成可能ではない。ｎが偶数の場合、ダウンリンクＨＡＲＱフィードバック情報は、対応するＨＡＲＱプロセスに関してサブフレーム０、８、６、４、及び２に送信される。この場合、サブフレーム０及び４は保護が必要になるが、図３の実施例の下ではどちらもＭＢＳＦＮ構成可能ではない。これがどのようにして問題を引き起こすかを説明するため、図４は実施例の同期ＨＡＲＱスキームの下でＨＡＲＱシグナリングシーケンスに対するタイミングを図解している。一方、図５は実施例のオールモストブランクサブフレーム（ＡＢＳ）パターンのタイミングに対して実施例の同期ＨＡＲＱスキームの下でのＨＡＲＱシグナリングのタイミングを示している。実施例の同期ＨＡＲＱスキームでは、アップリンクデータ送信とダウンリンクフィードバック送信及び／又は任意の起こりうる再送信との間のタイミングの関係性は固定されることがある。例えば、図４に示した実施例では、無線通信機器２０は特定のサブフレームの間にアップリンクデータ送信を送信し、この無線通信機器２０にサービス提供する無線アクセスノードは、アップリンク送信から決められた数のサブフレーム期間が経過した時点で応答ＨＡＲＱフィードバック送信を送信する。例示的な実施例では、ＨＡＲＱフィードバック送信は対応するアップリンク送信から４サブフレーム後に行われ、ＨＡＲＱラウンドトリップタイム（ＲＴＴ）は８サブフレームである。アグレッサセルで使用されるＭＢＳＦＮ  ＡＢＳ構成は８サブフレーム周期と一致しないことがあるため（例えば、図３に示したように）、応答ダウンリンク送信が起こりうるサブフレームは、アグレッサセルのＡＢＳ構成によって保護されていない、又は保護が少ないサブフレームを含みうる。
【００２３】
このようなシナリオの実施例を図５に示す。具体的には、図５は、ビクティムセルで起こりうる同期ＨＡＲＱシグナリングとアグレッサセルでのＡＢＳ構成との間のタイミングの関係の例を示す。図５が示すように、アップリンク送信とこれに関連するダウンリンク送信との間の固定されたタイミングの関係が維持されている場合には、問題が生じることがある。ビクティムセル内の無線通信機器２０がＰＨＩＣＨ送信を成功裏に受信及びデコードする可能性がある場合には、アグレッサセル内にＭＢＳＦＮ  ＡＢＳサブフレームを構成することによって、又は他の何らかの機構によって、ビクティムセル内のＰＨＩＣＨ送信を保護することが必要になることがある。図５の実施例では、アグレッサセル内でＭＢＳＦＮ  ＡＢＳサブフレームによる保護を必要とする、又はＭＢＳＦＮ  ＡＢＳサブフレームによって保護されることで著しい利益を享受しうるビクティムセル内のサブフレームが「保護されるサブフレーム」と書かれた行に表示されている。図５で指示されているように、この実施例の構成では、ＭＢＳＦＮはこれらのサブフレームでは構成されえないため、無線フレーム０のサブフレーム９及び無線フレーム２のサブフレーム５は、ＭＢＳＦＮ  ＡＢＳサブフレームによって保護することはできない。その結果、ＰＨＩＣＨ送信の一部のみがＭＢＳＦＮ  ＡＢＳサブフレームによって保護可能となり、ＭＢＳＦＮサブフレームに対する構成の制約及びアップリンク送信と応答ＨＡＲＱ送信との間の固定されたタイミングの関係により、一部のＰＨＩＣＨ送信は確実に検出されないことがある。
【００２４】
これは、当該のダウンリンク送信（例えば、ＰＨＩＣＨ上で送信されるＨＡＲＱフィードバック情報）の周期、及びビクティムセルでのダウンリンク送信を保護するための適切な干渉条件をもたらす送信パターン（例えば、ＭＢＳＦＮ  ＡＢＳパターン）の周期との不一致の結果として、特定の実施形態で起こりうるより一般的な問題の例である。アグレッサセルに対して構成される送信パターン（例えば、ＭＢＳＦＮ  ＡＢＳパターン）を単純に生かすことによって、ビクティムセル内のダウンリンク送信の一部を保護することは可能であるが、アップリンク送信とこれに対応するダウンリンク送信との間のタイミングの関係が固定されているため、この方法ではビクティムセル内のすべてのダウンリンク送信を保護することができないことがある。一般的に、アグレッサセルによる干渉から保護することができる時間及び／又は周波数リソースに（例えば、ＭＢＳＦＮ／非ＭＢＳＦＮ、サイクリックプレフィックス構成、干渉条件、ネットワーク構成、機器の動作状態などのサブフレームの種類による）制限があり、同時に（同期ＨＡＲＱのタイミングの制約により）ビクティムセル内で特定のダウンリンク送信を行わなければならない所定の時点が存在する場合には、これらの所定の時点はダウンリンク送信に対して必要となるかもしれないすべてのサブフレームを完全には包含できないことがある。したがって、干渉から保護されうるサブフレームのパターンとこのような保護を必要とするダウンリンク送信との間の周期の不一致を示す無線通信システム１０の実施形態では、付加的な策を講じることなく保護を必要とするすべてのダウンリンク送信を保護できないことがある。
【００２５】
その結果、無線通信機器２０及び無線通信システム１０の特定の実施形態の無線アクセスノード（例えば、基地局３２及び低出力ノード３４）は、アグレッサセルからの干渉がビクティムセルの特定の種類のダウンリンク送信の送信成功を妨げる又は妨げることが予想される場合には、事前に定義したある動作を実装するように構成されてもよい。以下でより詳細に説明されるように、ダウンリンク送信を受信するように意図された無線通信機器２０に関しては、この動作は、ダウンリンク送信がスケジュールされたサブフレームの間に行われなかったと想定すること、ダウンリンク送信の受信を試みないと決定すること、ダウンリンク送信によって実行される情報の代わりに所定の情報を利用すること、又はこれらの選択肢の任意の組み合わせを含みうる。当該のダウンリンク送信を受信するための従来の手続きの代わりに、事前に定義した動作を使用することにより、無線通信機器２０は、その処理及び電力リソースの不必要な使用を制限し、誤っている可能性のある情報への依存を減らし、及び／又は成功裏に受信されない可能性のある情報を除外し、動作のための効果的なフォールバック機構を提供することができる。
【００２６】
また、以下でより詳細に説明されるように、ダウンリンク送信を送信するように意図された無線アクセスノードに関しては、事前に定義した動作は、ダウンリンク送信を行うことを差し控えること、目標の無線通信機器２０がダウンリンク送信によって実行される情報の代わりに所定の情報を利用すると想定すること、又はこれらの選択肢の組み合わせを含んでもよい。この事前に定義した動作を使用することにより、無線アクセスノードは、その処理及び電力リソースの不必要な使用を制限し、他で使用するためビクティムセルの送信リソースを解放し、ダウンリンク送信の順調な受信が起こりにくい状況に無線通信機器２０がどのように応答するかを正しく予測することができる。したがって、無線通信機器２０の特定の実施形態は、ＡＢＳベースの干渉保護が有効ではない又は不可能な多くの状況を含め、セル間干渉を処理するための効果的な解決策を提供することができる。
【００２７】
ここで、図１Ａに示した実施例の実施形態に戻ると、無線通信システム１０の例示的な実施形態は、無線通信システム１０によってサービス提供される複数のセル５０の中で動作する一又は複数の無線通信機器２０に無線通信サービスを提供する。無線通信システム１０は、限定するものではないが、任意のロングタームエボリューション（ＬＴＥ）、ワールドワイド・インターオペラビリティ・フォー・マイクロウェーブ・アクセス（ＷｉＭＡＸ）、広帯域符号分割多元接続（ＷＣＤＭＡ（登録商標））通信規格などを含む、任意の好適な種類の及び／又は任意の適切な通信規格に従う通信に対応してもよい。
【００２８】
無線通信機器２０は、無線通信システム１０と無線的に情報をやりとりすることができる任意の機器を表す。無線通信機器２０の実施例は、無線電話、パーソナルデジタルアシスタント（ＰＤＡ）、ラップトップコンピュータ、及び通信システム１０による使用に適した他の任意の可搬型通信機器など、従来の通信機器を含む。例えば、特定の実施形態では、無線通信機器２０はＬＴＥユーザー機器（ＵＥ）の例を表す。加えて、特定の実施形態では、無線通信機器２０はまた、自動化機器又はマシン型通信（ＭＴＣ）が可能な機器を表すこともある。例えば、無線通信機器２０は、無線計測器又はセンサ、デジタル掲示板、無線対応家電（例えば、洗濯機、温風機、デジタルビデオレコーダ（ＤＶＲ））、又はアクセスネットワーク３０との無線通信が可能な他の任意の機器を表すことがある。
【００２９】
アクセスネットワーク３０は、無線通信機器２０と無線的に通信を行い、無線通信機器２０とコアネットワーク４０との間のインターフェースとして働く。アクセスネットワーク３０は、無線アクセスネットワーク及び／又は、コアネットワーク４０に無線又はエアインターフェースを提供する機能を負う任意の要素を表す又は含むことがある。アクセスネットワーク３０は、無線通信機器２０と無線的に通信することができる一又は複数の無線アクセスノードを含む。図１Ａの実施例の実施形態では、これらの無線アクセスノードは複数の基地局３２及び低出力ノード３４を含む。アクセスネットワーク３０はまた、基地局コントローラ、アクセスサーバ、ゲートウェイ、リレー、リピータ、及び／又は基地局３２によって使用される無線チャネルの管理、ユーザー認証、基地局３２と他の無線アクセス要素との間のハンドオフの制御、及び／又は基地局３２の相互運用の管理及びコアネットワーク４０への基地局３２の接続に好適な任意の付加的なコンポーネントを含むことがある。
【００３０】
特定の実施形態では、アクセスネットワーク３０は、複数の異なる種類の無線アクセスノードが配備される異種ネットワークを表すことがある。例えば、図１Ａの例示的な実施例では、アクセスネットワーク３０は、各々が一又は複数のセル５０にサービスを提供する複数の基地局３２、及び各々が一又は複数のセルにサービスを提供する複数の低出力ノード３４を含む。本明細書では、基地局３２によってサービス提供されるセル５０を「マクロ」セルと呼び、低出力局３４によってサービス提供されるセル５０を「マイクロ」セルと呼ぶ。特定の実施形態では、低出力局３４によってサービス提供されるマイクロセルは、図１Ａに示すように近隣基地局３２によってサービス提供される一又は複数のマクロセルと実質的に重なることがある。基地局３２は、無線通信機器２０への無線通信サービスを促進するため、無線通信機器２０と無線的に通信を行う。基地局３２は、無線通信機器２０との通信を行い、無線通信機器２０をコアネットワーク４０に接続するための任意の適切な要素を含みうる。例えば、アクセスネットワーク３０及びコアネットワーク４０によって支持される通信規格に応じて、各基地局３２は、基地局、ＮｏｄｅＢ、ｅｖｏｌｖｅｄ  ＮｏｄｅＢ（ｅＮｏｄｅＢ）、無線基地局（ＲＢＳ）、又は無線通信機器２０と無線的に通信することができる他の好適な要素を表す又は含んでもよい。
【００３１】
同様に、低出力ノード３４は、無線通信機器２０への無線通信サービスを促進するため、無線通信機器２０と無線的に通信を行う。低出力ノード３４は、無線通信機器２０との通信を行い、無線通信機器２０をコアネットワーク４０に接続するための任意の適切な要素を含みうる。特定の実施形態では、低出力ノード３４は基地局３２よりも低い最大送信出力を有してもよく、基地局３２よりも低い送信出力を使用するように構成されてもよい。低出力ノード３４の実施例は、限定するものではないが、ピコ基地局、フェムト基地局、マイクロ基地局、ホームｅＮｏｄｅＢ（ＨｅＮＢ）、及び無線ローカルアクセスネットワーク（ＷＬＡＮ）アクセスポイントを含む。
【００３２】
「低出力」と呼ばれてはいるものの、低出力ノード３４は、特定の実施形態では、基地局３２と同一の物理要素を含んでもよいが、ある時点では、単純に基地局３２とは別に運用するように構成されてもよい。さらに、以下の説明は、例示を目的として、アクセスネットワークが送信出力の異なる無線アクセスノードを含む実施形態に焦点を当てているが、アクセスネットワーク３０の他の実施形態は、運用及び／又は他の機能又は特性の他の態様に関して異なる種類の無線アクセスノードを含むことがある。しかも、アクセスネットワーク３０の代替的な実施形態は、無線アクセスノードのすべてが同様または同一である同種ネットワークを表すことがある。
【００３３】
アクセスネットワーク３０内の各無線アクセスノードは、当該無線アクセスノードによってサービス提供される一又は複数のセル５０に関連している。セル５０は、対応する無線アクセスノードによってサービス提供される近接した地理的な領域を定義することができる。単純化するため、図１Ａは、各無線アクセスノードが単一のセル５０にサービス提供するように構成される実施例の実施形態を図解している。しかしながら、特定の実施形態では、無線アクセスノードは複数の異なるセル５０に対応することができる。例えば、キャリアアグリゲーション又は他のマルチキャリア機能に対応する実施形態では、特定の無線アクセスノードは、場合により同一の地理的カバレッジにより、周波数スペクトルの異なる部分のキャリアを用いる無線アクセスノードによってサービス提供されるセル５０の各々により、複数の異なるセル５０にサービス提供することができる。その結果、特定の実施形態では、第１のセル５０及び第２のセル５０は同一の無線アクセスノードによってサービス提供され、またこれらのセル５０は、同一の、重なる、又は完全に別個の地理的な領域を網羅することができる。
【００３４】
コアネットワーク４０は、アクセスネットワーク３０から他の無線通信機器２０まで、或いは地上の通信線接続又は他のネットワークを経由してコアネットワーク４０に接続されている他の通信機器まで、無線通信機器２０によって通信される音声及び／又はデータをルーティングする。コアネットワーク４０は、このような通信のルーティングに関して適切な任意の規格又は技術に対応することができる。例えば、ＬＴＥに対応している無線通信機器２０の実施形態では、コアネットワーク４０はシステムアーキテクチャエボリューション（ＳＡＥ）コアネットワークを表すことがある。コアネットワーク４０はまた、長距離伝送通信の集約、ユーザー認証、呼制御、課金を目的とした使用量の計測、又は通信サービスの提供に関連する他の機能の役割を担う。しかしながら、一般的に、コアネットワーク４０は、無線通信機器２０に対する音声及び／又はデータ通信のルーティング並びに支援に適した任意のコンポーネントを含むことがある。運用時には、無線通信システム１０の無線アクセスノード（実施例の実施形態では基地局３２及び低出力ノード３４など）は、これらの無線アクセスノードによってサービス提供されるセル５０の中で動作している無線通信機器２０に無線通信サービスを提供する。図１Ａは、第１の無線アクセスノードによってサービス提供されるビクティムセル（ここでは、低出力ノード３４ａによってサービス提供されるセル５０ｂ）は、アグレッサセルにサービス提供している第２の無線アクセスノード（ここでは、セル５０ａにサービス提供している基地局３２ａ）によって行われる通信からの干渉を受ける。
【００３５】
この実施例では、基地局３２ａはＡＢＳ構成又はビクティムセルの第１のサブフレーム群を（例えば、基地局３２ａによる送信を制限又は阻止することによって）保護する他の種類の送信パターンによって構成されている、と想定されている。この第１のサブフレーム群は、低出力ノード３４ａによって使用される無線フレームで利用可能なサブフレームの一部を含むが、すべてを含むわけではない。特定の実施形態では、無銭通信機器２０ａはまた、基地局３２ａのＡＢＳ構成に基づいて生成又は選択される限定的な測定パターンによって構成されてもよい。
【００３６】
ＡＢＳ構成は保護されているサブフレームの中でセル間干渉を効果的に制限することができるが、ＡＢＳ構成、特にＭＢＳＦＮ  ＡＢＳ構成が、重要なダウンリンク送信を行いうるすべてのサブフレームを保護できないことも多い。この実施例で基地局３２ａによって使用されるＡＢＳ構成はビクティムセルのサブフレームすべてを保護するわけではないため、一部のサブフレームはアグレッサセルによる干渉から保護されないことがある。あるシナリオでは、保護されていないサブフレームの間にビクティムセル内で受ける干渉は重大なものになることがあり、場合によっては、保護されていないサブフレームの間には、無線通信機器２０ａによるある種のダウンリンク送信が成功裏に受信される可能性が低くなることがある。
【００３７】
干渉の影響をさらに限定するため、潜在的なビクティムセルの中で動作している無線通信機器２０は、これらの無線通信機器２０が測定を実施するサブフレーム、並びに場合によりこれらが他の動作を実施する又は実施を試みるサブフレームを制限する限定的な測定パターンで構成されてもよい。これらのパターンにより、無線通信機器２０が測定及び他の干渉に敏感な動作を試みるのを防止することができるが、限定的な測定パターン自体はアグレッサセルによるセル間干渉を防ぐことはできない。その結果、限定的な測定セルは多くの場合、ＭＢＳＦＮ  ＡＢＳ構成などの送信パターンと連動して使用され、このような送信パターンによって生成される保護されたサブフレームを使用するため無線通信機器２０を構成する。
【００３８】
特定の実施形態では、ビクティムセル内の無線通信機器２０に対して使用される限定的な測定パターンは、ビクティムセルに対する潜在的なアグレッサセルのＡＢＳ構成に基づいて生成又は選択される。このような実施形態では、限定的な測定パターンは、アグレッサセルのＡＢＳ構成によって保護されるサブフレーム内だけでのある種の動作（例えば、測定）の実施又はこれらのサブフレームのサブセットに対して、無線通信機器２０を制限することがある。しかし、アグレッサセル内でのＡＢＳ構成及びビクティムセル内での限定的な測定パターンの使用にもかかわらず、ビクティムセル内の一又は複数のサブフレームは、アグレッサセルからの干渉保護を限定的に受けること又はまったく受けないことがある。したがって、これらのサブフレームの間に、ビクティムセル内でのダウンリンク送信を誤って受信することが起こりうる、また場合によっては非常に起こりやすい。
【００３９】
これらの失敗したダウンリンク送信によって引き起こされうる問題を軽減するため、無線通信システム１０の特定の実施形態は、アグレッサセルからの干渉がダウンリンク送信が成功しにくくなるほど重大ではない第１の「候補」サブフレーム群の中にはないサブフレームの間に発生するダウンリンク送信に関して、事前に定義したある動作を実装してもよい。特定の実施形態では、これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される限定的な測定パターンによって特定されるサブフレーム）、又はこれら２つの何らかの組み合わせを表すことがある。  この実施例の目的として、当該の候補サブフレームは基地局３２ａに対してＡＢＳ構成のＡＢＳサブフレームすべてを含むこと、及び限定的な測定パターンがこれらのサブフレームのサブセットを表し、構成されている限定的な測定パターンによって特定されるすべてのサブフレームが候補サブフレームであると意味することが想定されている。代替的に、幾つかの実施形態では、候補サブフレームは、アグレッサセル内での送信及び／又は無線通信機器２０の受信機の種類に関連する強い干渉に対処する無線通信機器２０の能力（例えば、ある種の干渉に対処する又はこれを軽減する能力の目安）に依存することがある。さらに一般的に、候補サブフレームは、当該のサブフレームの間にアグレッサセル内で送信を行う任意の好適な方法に関連する候補条件を満たす、任意のサブフレームを表すことがある。無線通信機器２０ａは、第１の候補サブフレーム群の一部ではないサブフレームの間に、ダウンリンク送信に関して事前に定義したある動作を実装してもよい。例えば、低出力ノード３４ａは、ある固定されたタイミング制約に従ってある種のダウンリンク送信を行うように構成されてもよい。例えば、図５に記載されている実施例の同期ＨＡＲＱフィードバックスキームを実装する実施形態では、応答ダウンリンクフィードバック送信は、対応するアップリンク送信の４サブフレーム後に行われなければならない。固定されたタイミング制約によって、ダウンリンク送信が候補サブフレームの１つではないサブフレームの間に発生するように強いられる場合には、これによって無線通信機器２０ａの中で事前に定義したある動作が引き起こされることがある。
【００４０】
１つの例として、候補サブフレームの１つではないサブフレームの間に行われるようにスケジュールされているダウンリンク送信（例えば、肯定的な送信スケジューリングの結果として、送信が行われるべき時点を管理するタイミング制約の結果として）に関しては、無線通信機器２０ａは当該のダウンリンク送信が起こらないと想定することがある。例えば、４サブフレームタイミング制約を有する同期ＨＡＲＱ実施例に戻ると、無線通信機器２０ａは、候補サブフレームではないサブフレームの４サブフレーム前にアップリンクデータ送信を送信するようにスケジューリングされている場合には、無線通信機器２０ａは、当該アップリンクデータ送信に応答しているダウンリンクフィードバック送信が送信されないと想定してもよい。送信が行われないと想定することによって、無線通信機器２０ａは電力及び処理リソースを節約することができる。無線通信機器２０ａは、当該のダウンリンク送信の誤った受信に応答するため、当該のダウンリンク送信に対して標準的な手続きが存在するのであれば、それに従うことが可能である。例えば、無線通信機器２０ａは次に起こりうる受信のときに送信を受信してもよい。
【００４１】
別の実施例として、候補サブフレームではないサブフレームの間に起こるようにスケジューリングされているダウンリンク送信に関しては、無線通信機器２０ａは当該のダウンリンク送信を受信しないと決定することがある。特定の実施形態では、無線通信機器２０ａは、送信に関連する信号がそのアンテナに到達するか否かについての制御を行えないことがある。しかしながら、本明細書の説明では、信号を「受信しないと決定すること」は、受信機回路を起動しないと決定すること、無線通信機器２０ａに到達したあとで入射信号を破棄すると決定すること、信号をデコードしないと決定すること、信号を復調しないと決定すること、及び／又は信号受信の一環として無線通信機器２０ａによって通常実施される任意の付加的な処理または動作を実施しないと決定することを含みうる。ダウンリンク送信を受信しないと決定することによって、無線通信機器２０ａは、ダウンリンク送信の受信を試みることによって無駄になる可能性の高い電力及び処理リソースを節約することができる。
【００４２】
さらに別の実施例として、候補サブフレームではないサブフレームの間に起こるようにスケジューリングされているダウンリンク送信に関しては、無線通信機器２０はダウンリンク送信によってやりとりされる情報に対して所定の値を想定することができる。例えば、同期ＨＡＲＱ実施例に再度戻ると、無線通信機器２０ａによって行われたアップリンクデータ送信に応答するダウンリンクフィードバック送信が候補サブフレームでないサブフレームの間に起こると想定されている場合には、無線通信機器２０ａは実際のダウンリンク送信の利用を試みるのではなく、送信されたフィードバック情報の値に対して所定の結果を想定することができる。例えば、無線通信機器２０は、候補サブフレームの間に起こらないダウンリンクフィードバック送信はつねに「ＡＣＫ」の値を保持するか、そうでない場合には対応するアップリンクデータ送信が成功裏に受信されたことを示していると想定することができる。所定の結果を想定することによって、無線通信機器２０ａは処理及び電力リソースを再度節約することができる。追加的に、無線通信機器２０は、保護されていないサブフレームの間に受信される信号のデコードを試みるよりも予測可能な結果を提供することができる。
【００４３】
ダウンリンク送信が候補サブフレームの間に起こらないときには、当該ダウンリンク送信の対処で事前に定義した動作を使用するように無線通信機器２０が構成されている場合には、ビクティムセル内でサービス提供する無線アクセスノード（例えば、低出力ノード３４ａ）は同様に、アグレッサの干渉の影響を最小限に抑えるため事前に定義したある動作を実装するように構成されてもよい。
【００４４】
１つの実施例として、低出力ノード３４ａによるダウンリンク送信又は特定の種類のダウンリンク送信が、候補サブフレームではないサブフレームの間に起こるようにスケジューリングされている場合には、低出力ノード３４ａは当該のダウンリンク送信を送信しないと決定することがある。代替的に、他の実施形態では、アグレッサセルのＡＢＳ構成によって保護されないサブフレームの間に送信が起こる場合、無線通信機器２０ａに対して構成されている限定的な測定パターンの一部ではないサブフレームの間に送信が起こる場合、又は一般的に、無線通信機器２０ａが当該のダウンリンク送信を受信すると予測されていない場合には、低出力ノード３４ａは当該のダウンリンク送信を送信しないと決定することがある。無線通信機器２０ａが送信を成功裏に受信する可能性はこれらのシナリオでは限定的になることがあるため、ダウンリンク送信を行うことを控えることによって、失敗することはほとんどない。さらに、無線通信機器２０ａが、このようなシナリオでそれ自体の事前に定義した動作を効果的に使用するように構成されている場合には、送信を控えることの否定的な側面はさらに少なくなる。一方、ダウンリンク送信を送信しないと決定することは、基地局３２ａに対する処理及び電力リソース及び他のユーザーに対してビクティムセル内での自由送信リソースを節約することができる。
【００４５】
別の実施例として、低出力ノード３４ａによるダウンリンク送信又は特定の種類のダウンリンク送信が、候補サブフレームではないサブフレームの間にスケジューリングされている場合には、低出力ノード３４ａは何の情報がやり取りされるかに関して、無線通信機器２０ａと同じ「想定」を行うことがある。当該のダウンリンク送信で送信された、又は送信されたであろう情報の値又は内容がわかるにもかかわらず、低出力ノード３４ａは、低出力ノード３４が実際に送信した又は送信したであろう値に対して、同一の所定の情報で代替することがあるが、この情報は無線通信機器２０ａによって送信されたと想定されているものである。適切な想定値を決定するため無線通信機器２０と同じ規則に従うことによって、低出力ノード３４ａは無線通信機器２０ａと同じ所定の想定に至ることができる。低出力ノード３４ａは、想定された値が低出力ノード３４ａの実際に送信した値であったかのように、その動作で進んでもよい。これにより低出力ノード３４ａは、その想定が無線通信機器側でのみ行われた場合には、無線通信機器２０のその後の動作をさらに正確に予測することができる。したがって、低出力ノード３４ａは「ＡＣＫ」の値を示すダウンリンクフィードバック送信を送信するが、無線通信機器２０ａは「ＮＡＫ」の値が送信されたと見なす場合には、低出力ノード３４ａはそうでなかった場合には期待したであろう再送信を待っていないことがわかるであろう。
【００４６】
ある実施形態では、事前に定義した動作は、無線通信機器２０ａ又は低出力ノード３４ａのいずれか或いは両方によって、候補サブフレームの間には行われないすべてのダウンリンク送信に対して無条件に実装されてもよい。しかしながら、他の実施形態では、事前に定義した動作は、特定のトリガ条件が満たされる場合にのみ実装される。
【００４７】
例えば、特定の実施形態では、無線通信機器２０ａ及び／又は低出力ノード３４ａは、干渉条件が上述の技術を実行前に適用することを保証するかどうかを決定する。１つの実施例として、無線通信機器２０ａ及び低出力ノード３４ａは、ビクティムセルでの実際の干渉が十分に大きいと決定された場合にのみ、上述の技術を利用するように構成されてもよい。したがって、特定の実施形態では、トリガ条件は無線通信機器２０ａ、低出力ノード３４ａ、または無線通信システム１０の他の要素によって実施される干渉測定に関連することがある。これらの干渉測定は、信号又はチャネルの品質評価、信号強度測定、チャネル評価レポート、又は他の任意の好適な干渉の測定及び／又はビクティムセルでの信号品質を表すことがある。このような実施形態では、無線アクセスノードは一又は複数の干渉測定に基づいて、事前に定義した動作を実装するか否かを決定することがある。
【００４８】
別の実施例では、無線通信機器２０ａは、アグレッサセルを検出した後、或いは潜在的なアグレッサセルが存在する又は高い干渉条件が予測される（例えば、低出力ノード３４ａからの限定的な測定パターンの受信によって）兆候をアクセスネットワーク３０から受信した後だけに、事前に定義した動作を実装するように構成されてもよい。したがって、このような実施形態では、トリガ条件は隣接するアグレッサセルの存在に関連することがある。同様に、無線通信システム１０は事前に定義した動作を使用して、非ＣＳＧ無線通信機器２０上でのＣＳＧ無線アクセスノードの影響又は低出力ノード３４のＣＲＥゾーン内での動作の影響を低減することができる。したがって、このような実施形態では、トリガ条件は、無線通信機器２０ａがそれの属さないクローズドサブスクライバグループに対してＣＳＧセル内で動作しているかどうか、或いは無線通信機器２０ａが低出力ノード３４ａのＣＲＥゾーン５２内で動作しているかどうかに関連することがある。
【００４９】
他の起こりうるトリガ条件には、限定するものではないが、当該のダウンリンク送信に対する受信の機会がサブフレーム内の特定の時点に起こるかどうか、システム又は測定の帯域幅或いは特定の種類の信号の帯域幅が閾値を下回っているかどうか、及び再送信の最大回数が閾値を超えているかどうか、が含まれる。しかしながら、より一般的には、無線通信システム１０の特定の実施形態では、無線通信機器２０ａ及び／又は低出力ノード３４ａは、任意の好適なトリガ条件又は特定の条件を考慮した上で、所定の動作を実装するように構成されてもよい。特定の実施形態では、ダウンリンク送信が非候補サブフレームの中で行われる場合には、トリガ条件は上位層シグナリングが想定される所定の値の兆候を提示するか否かに関連していることがある。
【００５０】
加えて、無線通信システム１０の特定の実施形態は、異なるプロトコル層で問題となっているダウンリンク送信を介して送信されるものと同様の情報を送信するように構成されてもよい。例えば、特定の実施形態では、ダウンリンク送信自体は物理層の上で実施されるダウンリンクフィードバック送信（例えば、ＨＡＲＱフィードバック送信）を表し、低出力ノード３４ａはダウンリンク送信を補う又は置き換えるため異なる層（例えば、より上位の層）で情報を送信してもよい。無線通信システム１０は、上述の事前に定義した動作による解決策と共に（例えば、無線通信機器２０が送信を想定している所定の結果を無線通信機器２０ａに提供するため）、或いはこれらの解決策の代替手段として、この技術を使用することがある。
【００５１】
特定の実施形態では、異なるプロトコル層で送信される情報は、ダウンリンク送信で送信されるものに対して冗長な情報を表すことがある。その際、冗長な情報は、ダウンリンク送信の同一の複製、ダウンリンク送信で送信される情報の一部、又は付加情報が加わった同一の情報（例えば、元のダウンリンク送信で送信されたもののスーパーセット）など、情報内容が一部重複している情報を表すことがある。
【００５２】
代替的な実施形態では、異なるプロトコル層で送信される情報は、例えば一次ダウンリンク送信での低位層シグナリングのデコードなしで使用されうる事前に定義した結果（例えば、常時「ＡＣＫ」又は特定された時点での「ＡＣＫ」）を表すことがある。このような実施形態では、上位層シグナリングに対する送信パターンは、アグレッサセルのＡＢＳ構成、無線通信機器２０ａの限定的な測定パターン、又はその両方に依存することがある。上位層シグナリングが事前に定義した結果をもたらす実施形態では、上位層シグナリングは事前に定義した結果に関してパターンのもととなったパターン又はパラメータ（例えば、周期、パターンの参照開始時間、パターン長）を提供してもよい。少なくともパターンパラメータの一部は事前に定義可能であり、及び／又は事前に定義した結果はシグナリングなしで（例えば、規則に基づいて）事前に定義され既知となることがある。
【００５３】
例えば、特定の実施形態では、低位層ダウンリンク送信はＰＨＩＣＨを表し、同様に上位層シグナリングを介して信号送信される情報は、ＰＨＩＣＨのＤＬで通常に送信されるＵＬ  ＨＡＲＱフィードバックを含む。事前に定義した結果の実施例は、制御チャネル上で予想されるものと一致するように「ＡＣＫ」又は「ＮＡＫ」であってもよい。事前に定義した結果の別の実施例は、特定の時間インスタンスで又は特定の条件で「常時ＡＣＫ」となることがある。他の実施形態では、低位層ダウンリンク送信はブロードキャストチャネルを表すことがあり、また上位層シグナリングを介して信号送信される情報はシステム情報を表すことがある。さらに別の実施例はデータチャネル及びＳＩＢ情報である。
【００５４】
特定の実施形態では、無線通信システム１０は、事前に定義した結果が低出力ノード３４ａによって提供される、又は無線通信機器２０によって使用されることがある最大回数（例えば、ＵＥ測定パターン毎又は時間間隔での最大数）、又は事前に定義した結果が低出力ノード３４ａ又は無線通信機器２０ａによってもたらされうるときの連続した最大回数に関する追加の規則とともに構成されることがある。事前に定義した結果（例えば、ＵＬ  ＨＡＲＱフィードバック値）自体は、同様に無線通信機器２０ａによって自律的に決定されてもよく（例えば、無線通信機器２０ａは、チャネル条件に基づいて算定を試みる）、事前に定義した規則に従って決定されてもよく、或いは単純に一義的に事前に定義（例えば、「ＡＣＫ」）されること、又は別のノード（例えば、「ＡＣＫ」又は「ＮＡＫ」）によって明示的に示されることがある。事前に定義した結果が使用される時間インスタンスは、無線通信機器２０ａによって別の方法で得ることができる。例えば、事前に定義した結果を使用するための時間インスタンスは、無線通信機器２０ａによって自律的に決定されてもよく、事前に定義した規則（例えば、干渉条件、アグレッサ検出）に従って決定されてもよく、或いは上位層シグナリング又は下位層シグナリングを介して別のノードによって（例えば、ｅＮｏｄｅＢ又は試験機器によって）示されてもよい。無線通信機器２０が事前に定義した結果（例えば、ＵＬ  ＨＡＲＱフィードバック）をいつ使用してもよいのか又は使用するのか、或いはいつ使用してはいけないのか又は使用しないのか、に関する他の条件は、例えば、事前に定義した規則（例えば、無線通信機器２０ａが測定パターンを受信するとき、又は受信された測定パターンが無線通信機器２０ａによって使用される間）によって、条件（例えば、信号の品質が閾値以下になるとき）によって、ある事象（例えば、ランダムアクセスを実施するとき）で、別のノードから受信した命令（例えば、インジケータは無線通信機器２０ａが事前に定義したＨＡＲＱフィードバックを使用するまたは使用しないを示す低出力ノード３４ａから受信されてもよく、インジケータはパターンと共に提供されてもよい）によって決定されてもよい。
【００５５】
したがって、特定の実施形態では、無線通信システム１０は、セル間干渉によって失敗する可能性の高いダウンリンク送信の一部として送信される情報を得るため、無線通信機器２０に対して代替的な機構（例えば、所定の結果、上位層シグナリング）を提供することができる。これらの機構により、無線通信機器２０は、誤って受信したダウンリンク送信の情報内容を補う又は置き換えることができる。無線通信システム１０はまた、セル間干渉によってダウンリンク送信が成功しない可能性が高い状況で使用するため、無線通信機器２０及び無線アクセスノードに対して、事前に定義したある動作を提供してもよい。この事前に定義した動作は、機器のリソース（例えば、処理電力）を節約し、ビクティムセル内の送信リソースを解放し、さらに干渉が強い状況でより信頼性が高く予測可能な動作を提供することができる。したがって、無線通信システム１０のある実施形態は、数多くの動作上の利点を提供することができる。しかしながら、無線通信システム１０の特定の個々の実施形態は、このような利点の一部を提供する、全く提供しない、或いは全てを提供することがある。
【００５６】
図６は、事前に定義した結果が例えば無線通信機器２０ａによって使用される別の実施例のシナリオで、ダウンリンク送信及び候補サブフレームの相対的なタイミングを図解している。図５の実施例と同様に、図６の実施例は、アグレッサセルで使用されるＡＢＳ構成、特にＭＢＳＦＮ  ＡＢＳ構成が、ビクティムセルでのダウンリンク送信に必要とされるすべてのサブフレームを保護できないことを示している。したがって、図６の実施例では、事前に定義した結果を示すＰＨＩＣＨビットマップが、ダウンリンク送信を成功裏に受信する可能性が低い状況で動作を改善するため、当該の無線通信機器２０ａによって使用される。
【００５７】
図６の例示的な実施例では、ダウンリンク送信のための時間及び／又は周波数リソース（すなわち「候補リソース」）の事前に定義した実行可能なサブセットを含む第１のサブフレーム群は「ＭＢＳＦＮ構成」と記されたサブフレームである。特定の実施形態では、これらのサブフレームは、アグレッサセル干渉が低い（例えば、ＡＢＳが第２のネットワークノードでＭＢＳＦＮとして構成されている結果として）時を表す。ＰＣＨＩＣＨが送信される時点を含む第２のサブフレーム群は、「ダウンリンク制御」と記されている。特定の実施形態では、これらは適切な標準仕様（例えば、３ＧＰＰ  ＴＳ  ３６．２１３）に従って定義されてもよい。しかも、特定の実施形態では、この群は元のアップリンクデータ送信がスケジュールされているサブフレームに対するタイミング制約によって定義されてもよい。追加的に、上位層シグナリングを介して提供される事前に定義した情報が利用されなくてはならない、又は利用されうる時点は、「ＰＨＩＣＨビットマップ」と記されている。
【００５８】
この実施例では、ビクティムセル内で低干渉条件が必要又は望ましいサブフレームは「保護されるサブフレーム」と記されている。特定の実施形態では、これらのサブフレームは、無線通信機器２０ａに対して構成されている限定的な測定パターンに含まれるサブフレームに対応する。
【００５９】
図６で図解されている実施例のシナリオは、ＣＲＥゾーン５２内のＵＥ、又は一般的に限定的な測定パターンが構成されるＵＥを含むことがある。図６に示したように、上位層シグナリング上で無線通信機器２０ａに提供されることがある事前に定義した情報の１つの実施例は、複数のビットマップインジケータを含むビットマップである。各ビットマップインジケータは、「０」又は「１」の値の要素を表し、「０」は例えば無線通信機器２０ａが正常なＰＨＩＣＨ検出手続きに従うことを示しており、「１」は無線通信機器２０ａがこのサブフレームでチャネルの検出を試みることなく、事前に定義した情報を送信されたフィードバック値であると想定すべきことを示している。事前に定義した情報は、例えば所定の規則に従ってＵＬ  ＨＡＲＱフィードバックが予想されているサブフレームの中である基準を満たす時間及び／又は周波数リソースに関連付けられていてもよい。事前に定義した情報の実施例で使用されることがあるのは、「このサブフレームの中でＨＡＲＱ  ＡＣＫが想定されうる」というものである。
【００６０】
図６に示すように、ＰＨＩＣＨビットマップの実施例では、サブフレーム（９，０）及び（５，２）に「１」が設定されている。例示的な実施例では、これらのサブフレームに関連する値「１」は、無線通信機器２０ａは常にこれらのサブフレームの中で「ＡＣＫ」が受信されると想定していることを意味する。この実施例では、情報は対応するＰＨＩＣＨチャネルで送信される情報に優先する。例えば、（５，０）でダウンリンク送信が成功しない場合には、ＰＨＩＣＨビットマップに「１」が設定されているため、無線通信機器２０は、（９，０）での応答ダウンリンクフィードバック送信に対して所定の値を想定する。この実施例ではより具体的に、所定の値はすべて「ＡＣＫ」の値に設定されるものと想定されている。したがって、ＰＨＩＣＨビットマップに「１」が設定されているため、（９，０）のダウンリンク送信に対して「ＡＣＫ」が想定されている。この例示的な実施形態では、所定のハイブリッドＡＲＱプロセスに対してＰＨＩＣＨでハイブリッドＡＲＱ肯定応答を最初に受信したときには、無線通信機器２０ａはその送信バッファをフラッシュしないように構成されている。（９，０）で起こった又は起こるべきであった応答ダウンリンクフィードバック送信に対して想定されている「ＡＣＫ」の値により、サブフレーム（３，１）ではアップリンク再送信は起こらない。
【００６１】
サブフレーム（７，１）では、１つのアップリンクスケジューリンググラントがネットワークによって送信され無線通信機器２０ａによって受信され、新しいデータインジケータはこのグラントに対してトグルされない。新しいデータインジケータはトグルされないため、無線通信機器２０ａはサブフレーム（１，２）で前の伝送ブロックを再送信する。送信が再度不成功となる場合には、無線通信機器２０は、ダウンリンク送信に対する伝送ブロックが成功裏に送信されるまでステップ１及び２に戻ることがある。
【００６２】
しかしながら、サブフレーム（５，０）で送信が成功する場合には、ＰＨＩＣＨビットマップに「１」が設定されているため、無線通信機器２０ａは依然として、（９，０）でのダウンリンクフィードバック送信に対して「ＡＣＫ」の値を想定する。所定のハイブリッドＡＲＱプロセスに対してＰＨＩＣＨでハイブリッドＡＲＱ肯定応答を最初に受信したときには、ＵＥはその送信バッファをフラッシュしない。（９，０）で起こった又は起こるべきであった応答ダウンリンクフィードバック送信に対して想定されている「ＡＣＫ」の値により、サブフレーム（３，１）ではアップリンク送信は起こらない。
【００６３】
サブフレーム（７，１）では、１つのアップリンクスケジューリンググラントが低出力ノード３４ａによって送信され無線通信機器２０ａによって受信され、新しいデータインジケータはこのグラントに対してトグルされる。新しいデータインジケータはトグルされるため、ターミナルは新しい伝送ブロックを送信し、その送信バッファをフラッシュする。
【００６４】
上述の手続きは、特定の実施形態では、標準的な適応ＨＡＲＱプロセスの要素に依存する。無線通信システム１０の特定の実施形態は、ダウンリンクフィードバック送信（例えば、「ＡＣＫ」／「ＮＡＫ」）が確実に検出できないあるサブフレームに対して、適応ＨＡＲＱプロセスと同様な又は同一のシグナリングを有するＨＡＲＱプロセスに対応している。そのため、この考えを実装することは、現行の規格に最小限の影響しか与えない。したがって、特定の実施形態では、無線通信機器２０ａは適応ＨＡＲＱプロセスを選択的に利用して、アグレッサセルのＡＢＳ構成によって干渉保護されないサブフレームで起こるように要求されている送信を補う又は置き換えるために使用することができる冗長な情報を作成することができる。
【００６５】
図７は、セル間干渉に応答する無線通信機器２０の特定の実施形態に対する実施例の動作を図解するフロー図である。より具体的には、図７は、ダウンリンク送信（例えば、ＰＨＩＣＨ上でのＨＡＲＱフィードバックの送信などのダウンリンクフィードバック送信）が候補サブフレームでないサブフレームで起こる又は起こるようにスケジュールされるように決定することに応答して、当該の無線通信機器２０（ここでは、再び、図１Ａの無線通信機器２０ａ）が事前に定義したある動作を実装することができる実施形態に対する実施例の動作を図解している。
【００６６】
図７の動作は、ステップ７００でビクティムセル内のダウンリンク送信に対して候補サブフレームの組を示す情報を取得する無線通信機器２０ａによって開始される。これらの候補サブフレームは、アグレッサセル内の基地局３２ａによる送信が何らかの方法によって制限されるサブフレーム（例えば、ＡＢＳ構成の下でＡＢＳサブフレームとして構成されるサブフレーム）、低出力ノード３４ａ又はアクセスネットワーク３０が干渉に敏感なある種の又はすべての動作に対して受け入れ可能であるように指定されているサブフレーム（例えば、無線通信機器２０ａに対して構成される限定的な測定パターンによって特定されるサブフレーム）、又はこれら２つの何らかの組み合わせを表すことがある。さらに、特定の実施形態では、ビクティムセル内で無線通信機器２０に対して構成されている任意の限定的な測定パターンに含まれるサブフレームは、アグレッサセルに対するＡＢＳ構成によって保護されるサブフレームのサブセットを表す。この実施例では、取得した情報は、アグレッサセル内の送信に関する所定の候補条件を満たす複数の候補サブフレームを示す。例えば、取得した情報は、アグレッサセルによって使用されるＭＢＳＦＮ  ＡＢＳ構成を示すことがある。
【００６７】
さらに、特定の実施形態では、無線通信機器２０は、さらに劇的な手段（例えば、アグレッサセルによって引き起こされる干渉に対処するため）が必要とされる状況に対して既に説明した技術の使用を制限することがある。その結果、例示的な実施例では、無線通信機器２０ａは、ステップ７０２で、事前に定義した動作を場合により使用する前に、トリガ条件が満たされているかどうかを決定する。上記で説明したように、トリガ条件は、無線通信機器２０による事前に定義した動作の使用に関する適切な検討事項に関連することがある。トリガ条件の実施例には、限定するものではないが、無線通信機器２０ａが、高干渉レベルを受けるかどうか、アグレッサセル又は高干渉レベルを検出する或いは通知されるかどうか、ＣＲＥゾーンで動作しているかどうか、１つのフィードバック結果又は他の結果を強く示唆するチャネル品質を得ているかどうか、想定した結果のあるべき姿を示す上位層シグナリングを受信したかどうか、特定のサブフレームで指定された回数だけダウンリンク送信を受信したかどうか、閾値を超える最大の再送信回数を有しているかどうか、などが含まれる。トリガ条件が満たされていない場合には、無線通信機器２０は、ダウンリンク送信が候補サブフレームの１つの中で送信されていないにもかかわらず、当該のダウンリンク送信の受信を試みることがあり、動作はステップ７１２に進むことがある。そうでない場合には、動作はステップ７０４へ進む。
【００６８】
図７の実施例の実施形態では、当該ダウンリンク送信は、例えば、無線通信機器２０ａによって行われるアップリンク送信が低出力ノード３４ａによって成功裏に受信されたかどうかを示すフィードバック情報を表す。その結果、このような実施形態では、当該ダウンリンク送信は、無線通信機器２０ａによって行われるアップリンク送信によって引き起こされてもよい。したがって、例示的な実施例では、無線通信機器２０ａは、ステップ７０４でアップリンクデータ送信を送信する。
【００６９】
無線通信機器２０ａに対して意図されたダウンリンク送信が候補サブフレームの間に起こるかどうかを決定するため、無線通信機器２０ａは、無線通信機器２０に対して意図されているダウンリンク送信に関連するサブフレームを決定しなければならないことがある。例示的な実施例では、無線通信機器２０ａによって送信されたアップリンクデータ送信に応答するダウンリンクフィードバック送信は、アップリンク送信との間に固定されたタイミングの関係を有することがあり、また、無線通信機器２０ａは、無線通信機器２０ａがそのアップリンク送信を送信したサブフレーム（例えば、４サブフレーム後に起こるサブフレーム）に基づいて、対応するダウンリンクフィードバック送信が起こるサブフレームを特定することができる。
【００７０】
その結果、ステップ７０６では、無線通信機器２０ａは、アップリンクデータ送信とその応答ダウンリンクフィードバック送信との間の固定されたタイミングの関係に基づいて、応答ダウンリンクフィードバック送信に関連付けられたサブフレームを特定する。
応答ダウンリンクフィードバック送信に関連付けられるサブフレームは、ダウンリンクフィードバック送信が（例えば、使用されるフィードバックスキームのパラメータに基づいて）スケジュールされている又は起こることが要求されているサブフレーム、（例えば、低出力ノード３４ａがダウンリンク送信を送信するように決定する状況で）送信された場合にダウンリンクフィードバック送信が起こりうるサブフレーム、或いは、無線通信機器２０ａに対して意図されているダウンリンク送信に適した他の方法に関連付けられているサブフレーム、を表すことがある。例えば、図４に示した同期ＨＡＲＱスキームを実装する実施形態では、ダウンリンクフィードバック送信は、送信された場合、アップリンク送信の４フレーム後に起こる。このような実施形態では、無線通信機器２０ａによるアップリンクデータ送信がスケジュールされると、無線通信機器２０ａは、アップリンク送信がスケジュールされているサブフレームに４サブフレームを加えることによって、応答フィードバック送信に関連付けられたサブフレームを特定することができる。
【００７１】
無線通信機器２０ａに対して意図されているダウンリンク送信に関連するサブフレームを特定した後、ステップ７０８で、無線通信機器２０ａは特定されたサブフレームが候補サブフレームの組の中に含まれているかどうかを決定する。ある実施形態では、特定されたサブフレームが候補サブフレームの組の中に含まれる場合、これは特定されたサブフレームが、アグレッサセルによって使用されるＡＢＳ構成による干渉から十分に保護されることを意味する（例えば、特定されたサブフレームはアグレッサセル内のＭＢＳＦＮサブフレームとして特定される）。したがって、例示的な実施例では、特定されたサブフレームが候補サブフレームの組の中に含まれる場合には、無線通信機器２０ａは、ステップ７１２で、特定されたサブフレームに関連付けられるダウンリンク送信を受信するように試みてもよい。
【００７２】
ある実施形態では、特定されたサブフレームが候補サブフレームの組の中に含まれていない場合、これは特定されたサブフレームが、アグレッサセルによって引き起こされるセル間干渉から保護されておらず、特定のサブフレームの間に対応するダウンリンク送信の受信の成功が起こりにくいことを意味する。したがって、このような実施形態では、無線通信機器２０ａは一又は複数の事前に定義した動作を実施してもよい。これらの事前に定義した動作の実施例には、特定されたサブフレームの中でダウンリンク送信が起こらないと想定すること、特定されたサブフレームの中でダウンリンク送信を受信しないと決定すること、特定されたサブフレームの中で受信したダウンリンク送信に対して事前に定義した結果を想定すること、及びそれらの動作の任意の好適な組み合わせが含まれることがある。
【００７３】
例示的な実施形態の１例として、無線通信機器２０ａによって実施される事前に定義された動作は、特定されたサブフレームの中でダウンリンク送信を受信しないと決定すること、及び特定されたサブフレームの中で受信したダウンリンク送信に対して事前に定義した結果を想定することを含む。したがって、ステップ７１０では、無線通信機器２０ａは特定されたサブフレームの中でダウンリンク送信を受信しないと決定する。上記で説明したように、特定の実施形態では、無線通信機器２０ａは、送信に関連する信号がそのアンテナに到達するか否かについての制御を行えないことがある。しかしながら、信号を「受信しないと決定すること」は、受信機回路を起動しないと決定すること、入射信号を破棄すると決定すること、信号をデコードしないと決定すること、信号を復調しないと決定すること、及び／又は信号受信の一環として無線通信機器２０ａによって通常実施される任意の付加的な処理または動作を実施しないと決定することを含みうる。
【００７４】
加えて、例示的な実施例では、無線通信機器２０ａはまた、ステップ７１４で、特定されたサブフレームの中で受信したダウンリンク送信に対して事前に定義した結果を想定する。例えば、特定の実施形態では、ダウンリンク送信は、対応するアップリンク送信の成功又は失敗を示すダウンリンクフィードバック送信を表す。このような実施形態では、無線通信機器２０は、ダウンリンクフィードバック送信の受信の成功が、例えば「ＡＣＫ」の結果を生み出したと想定することができる。無線通信機器２０ａは、常に同一の想定（例えば、常に「ＡＣＫ」）を行うように、特定の指示された場合に異なる想定（例えば、サブフレーム＃４と＃５の間は「ＡＣＫ」）を行うように、或いは特定の指示された条件に基づいて異なる想定（例えば、ＣＲＥゾーンに位置しているときには「ＮＡＫ」でそれ以外の場合には「ＡＣＫ」）を行うように構成されてもよい。無線通信機器２０ａは、あたかもそれがダウンリンク送信によって示された値であるかのように、想定された結果を処理する動作を継続してもよい。例えば、事前に定義した結果が「ＡＣＫ」であると想定される場合には、無線通信機器２０ａは、アップリンクデータ送信の再送信を送信しないと決定してもよい。この特定のダウンリンク送信又はダウンリンク送信の組に関する無線通信機器２０ａの動作は、図７に示すように終了してもよい。
【００７５】
図８は、セル間干渉に応答する無線アクセスノードの特定の実施形態に対する例示的な動作を図解するフロー図である。より具体的には、図８は、ダウンリンク送信（例えば、ＰＨＩＣＨ上でのＨＡＲＱフィードバックの送信などのダウンリンクフィードバック送信）が候補サブフレームでないサブフレームで起こる又は起こるようにスケジュールされるように決定することに応答して、当該の無線アクセスのノードが事前に定義したある動作を実装することができる実施形態に対する実施例の動作を図解している。
【００７６】
図８の動作は、ステップ８００でビクティムセルの中のダウンリンク送信に対して第１の候補サブフレームの組を示す情報を取得するアクセスノード（この実施例では、図１Ａの低出力ノード３４ａ）によって開始される。ステップ８００及び８０２は、図７のステップ７００及び７０２に関して上で述べた方法と同様又は同一の方法で実行される。
【００７７】
図８の実施例の実施形態では、当該ダウンリンク送信は、無線通信機器２０ａによって行われるアップリンク送信が低出力ノード３４ａによって成功裏に受信されたかどうかを示すフィードバック情報を再度表す。したがって、例示的な実施例では、低出力ノード３４ａは、ステップ８０４で、無線通信機器２０ａからアップリンクデータ送信を受信する。受信したアップリンクデータ送信に応答して、低出力ノード３４ａは、低出力ノード３４ａがアップリンクデータ送信を成功裏に受信したかどうかを示すフィードバック情報を生成する。
【００７８】
上記で説明したように、固定されたタイミングの関係は、アップリンクデータ送信から固定された所定の数のサブフレーム後にダウンリンクフィードバック送信が送信されるように、アップリンクデータ送信と応答ダウンリンクフィードバック送信との間に存在してもよい。しかしながら、無線通信機器２０ａがダウンリンク送信を受信する可能性が低いサブフレームの中でダウンリンクフィードバック送信が起こる場合には、ある状況下では、低出力ノード３４ａはサブフレームを送信しないように決定してもよく、及び／又は他の種類の事前に定義した動作を実装してもよい。ステップ８０６〜８１２、及び８１６〜８１８は、このプロセスの実施例を図解している。
【００７９】
ステップ８０６では、低出力ノード３４ａは、無線通信機器２０ａが事前に定義した動作で使用されているかどうかを決定する。低出力ノード３４ａは、無線通信機器２０ａから受信した機能情報に基づいて、無線通信機器２０ａに対する構成セットに基づいて、及び／又は他の任意の検討事項に基づいて、これを決定してもよい。特定の実施形態では、無線通信機器２０ａが事前に定義した動作で使用されていることの確認は、低出力ノード３４が反応する要因に対して無線通信機器２０ａを予想通りに同じように確実に反応させるのに役立つことがある。無線通信機器２０ａが事前に定義した動作を使用する場合には、低出力ノード３４ａはまた、事前に定義した動作を使用してもよい。無線通信機器２０ａが事前に定義した動作を使用していない場合には、低出力ノード３４ａはどちらも行わないと決定して、動作は指定されたサブフレームの中で当該ダウンリンク送信を送信する低出力ノード３４と共にステップ８１４に進んでもよい。
【００８０】
ステップ８０８では、低出力ノード３４ａは、低出力ノード３４ａが無線通信機器２０ａにダウンリンク送信を送信する際のサブフレームを特定する。上述のように、これは対応するアップリンク送信が送信されるサブフレームに基づいて決定されてもよい。ステップ８１０で、低出力ノード３４ａは特定されたサブフレームが候補サブフレームの組の中に含まれているかどうかを決定する。特定されたサブフレームが候補のサブフレームの組の中に含まれていない場合には、低出力ノード３４ａはステップ８１２で、特定されたサブフレームは他の何らかの理由により無線通信機器２０ａがダウンリンク送信を受信すると予想されていない期間を含むかどうかを決定してもよい。そうでない場合には、動作は指定されたサブフレームの中で当該ダウンリンク送信を送信する低出力ノード３４と共にステップ８１４に進んでもよい。
【００８１】
例示的な実施例では、特定されたサブフレームが候補サブフレームの組の中に含まれていない場合には、或いは特定されたサブフレームが無線通信機器２０がダウンリンク送信を受信すると予測されていない期間を含んでいる別の理由が存在する場合には、低出力ノード３４は、ステップ８１６で、当該のダウンリンク送信を送信しないと決定してもよい。加えて、例示的な実施例では、低出力ノード３４ａは、特定されたサブフレームが無線通信機器２０ａと同一の事前に定義した規則を使用する間に送信された情報に関する「想定」を行うように構成されてもよい。したがって、ステップ８１８では、低出力ノード３４ａは、特定されたサブフレームに関連するダウンリンク送信に対して、事前に定義した結果が送信されたことを想定する。この特定のダウンリンク送信又はダウンリンク送信の組に関する無線通信機器２０ａの動作は、図８に示すように終了してもよい。
【００８２】
図９は、強い干渉条件下でサービス提供する無線アクセスノードからのダウンリンク送信の受信及び／又は処理について、事前に定義した動作に依拠するように構成されることがある無線通信機器２０の特定の実施形態の内容をより詳細に図解するブロック図である。図９に示したように、無線通信機器２０の実施例の実施形態は、機器プロセッサ９０２、機器メモリ９０４、アンテナ９０６、トランスミッタ９０８、及び受信機９１０を含む。
【００８３】
機器プロセッサ９０２は、専用マイクロプロセッサ、汎用コンピュータ、又は電子情報を処理することができる他の形態の電子回路など、任意の形態の処理コンポーネントを表す又は含むことがある。機器プロセッサ９０２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図９は、単一の機器プロセッサ９０２を含む無線通信機器２０の実施形態を簡略化して描いているが、無線通信機器２０は任意の適切な方法で同時使用するように構成された任意の数の機器プロセッサ９０２を含んでもよい。
【００８４】
機器メモリ９０４は、潜在的なアグレッサセルで使用される送信パターンの表示、無線通信機器２０によって使用される限定的な測定パターン、ＤＲＸ／ＤＴＸ設定など、無線通信機器２０によって得られた構成情報、又は無線通信装置２０によって使用される他の任意の構成情報を保存する。加えて、機器メモリ９０４はまた、機器プロセッサ９０２に対するプロセッサ命令、コーディングアルゴリズム、送信パラメータ、及び／又は動作の間に無線通信機器２０によって利用される他の任意のデータを保存する。機器メモリ９０４は、ランダムアクセスメモリ（ＲＡＭ）、リードオンリーメモリ（ＲＯＭ）、磁気記憶、光記憶、又は他の好適な種類のデータ記憶コンポーネントなど、データの保存に適した揮発性又は不揮発性のローカル機器又はリモート機器の、任意の集積及び配置を含んでもよい。図９に単一要素として示したが、機器メモリ９０４は、無線通信機器２０の内部又は離れた場所に存在する一又は複数の物理コンポーネントを含んでもよい。
【００８５】
アンテナ９０６は、無線信号を送受信することができる任意の好適な導体を表す。送信機９０８はアンテナ９０６を介して高周波（ＲＦ）信号を送信し、受信機９１０はアクセスネットワーク３０によって送信されるある種のＲＦ信号をアンテナ９０６から受信する。図９の実施例の実施形態は、ある数と構成のアンテナ、受信機、及び送信機を含むが、無線通信機器２０の代替的な実施形態は、任意の好適な数のこれらのコンポーネントを含んでもよい。加えて、送信機９０８、受信機９１０、及び／又はアンテナ９０６は、部分的に又は全体的に同一の物理コンポーネントを表すことがある。例えば、無線通信機器２０の特定の実施形態は、送信機９０８と受信機９１０の両方を表す送受信機を含む。
【００８６】
図１０は、強い干渉条件下で無線通信機器２０へのダウンリンク送信を送信する際、及び無線通信機器２０とのやりとりを行う際に、事前に定義した動作に依拠するように構成されることがある無線アクセスノード１０００の特定の実施形態の内容をより詳細に図解するブロック図である。図１０に示したように、ネットワークノード１０００の実施例の実施形態は、ノードプロセッサ１００２、ノードメモリ１００４、通信インターフェース１００６、アンテナ１００８、送信機１０１０、及び受信機１０１２を含む。
【００８７】
ノードプロセッサ１００２は、専用マイクロプロセッサ、汎用コンピュータ、又は電子情報を処理することができる他の形態の電子回路など、任意の形態の処理コンポーネントを表す又は含むことがある。ノードプロセッサ１００２の実施例は、フィールドプログラマブルゲートアレイ（ＦＰＧＡ）、プログラマブルマイクロプロセッサ、デジタル信号プロセッサ（ＤＳＰ）、特定用途向け集積回路（ＡＳＩＣ）、及び他の任意の好適な専用又は汎用プロセッサを含む。図１０は簡略化するように描かれているが、単一のノードプロセッサ１００２、ネットワークノード１０００を含むネットワークノード１０００の実施形態は、任意の適切な方法で同時使用するように構成された任意の数のノードプロセッサ１００２を含んでもよい。
【００８８】
ノードメモリ１００４は、選択されたフィードバックスキームの表示、他の無線アクセスノードから受信した協調情報、サービス提供された無線通信機器２０に対するＤＲＸ／ＤＴＸ設定など、無線アクセスノード１０００によって得られた構成情報、又は無線アクセスノード１０００によって使用された他の任意の構成情報を保存する。ノードメモリ１００４はまた、ノードプロセッサ１００２に対するプロセッサ命令、コーディングアルゴリズム、送信パラメータ、及び／又は動作の間に無線アクセスノード１０００によって利用される他の任意のデータを保存してもよい。ノードメモリ１００４は、ランダムアクセスメモリ（ＲＡＭ）、リードオンリーメモリ（ＲＯＭ）、磁気記憶、光記憶、又は他の好適な種類のデータ記憶コンポーネントなど、データの保存に適した揮発性又は不揮発性のローカル機器又はリモート機器の、任意の集積及び配置を含んでもよい。図１０に単一要素として示したが、ノードメモリ１００４は、無線アクセスノード１０００の内部又は離れた場所に存在する一又は複数の物理コンポーネントを含んでもよい。
【００８９】
通信インターフェース１００６は、無線アクセスノード１０００と他の無線アクセスノード及び／又はアクセスネットワーク３０並びにコアネットワーク４０の他の要素との通信を可能にするのに適した電子回路及び他のコンポーネントを含む。例えば、無線アクセスノード１０００がアクセスネットワーク３０の他のネットワークノードと協調情報を交換する実施形態では、通信インターフェース１００６は、無線アクセスノード１０００とアクセスネットワーク３０の他のノードとの間のＸ２インターフェースを介して通信を行うことができる回路を表すことがある。
【００９０】
アンテナ１００８は、無線信号を送受信することができる任意の好適な導体を表す。送信機１０１０はアンテナ１００８を介して高周波（ＲＦ）信号を送信し、受信機１０１２は無線通信機器２０によって送信されるある種のＲＦ信号をアンテナ１００８から受信する。図１０の実施例の実施形態は、ある数と構成のアンテナ、受信機、及び送信機を含むが、無線アクセスノード１０００の代替的な実施形態は、任意の好適な数のこれらのコンポーネントを含んでもよい。加えて、送信機１０１０、受信機１０１２、及び／又はアンテナ１００８は、部分的に又は全体的に同一の物理コンポーネントを表すことがある。例えば、無線アクセスノード１０００の特定の実施形態は、送信機１０１０と受信機１０１２の両方を表す送受信機を含む。
【００９１】
本発明は幾つかの実施形態と共に説明されているが、当業者には多数の変更、変形、改変、変換、及び修正が想起されるであろう。したがって、本発明はそのような変更、変形、改変、変換、及び修正は添付の特許請求の範囲内に含まれることが意図されている。
【図１Ａ】
2015515783.tif 000003
【図１Ｂ】
2015515783.tif 000004
【図１Ｃ】
2015515783.tif 000005
【図２Ａ】
2015515783.tif 000006
【図２Ｂ】
2015515783.tif 000007
【図３】
2015515783.tif 000008
【図４】
2015515783.tif 000009
【図５】
2015515783.tif 000010
【図６】
2015515783.tif 000011
【図７】
2015515783.tif 000012
【図８】
2015515783.tif 000013
【図９】
2015515783.tif 000014
【図１０】
2015515783.tif 000015
【国際調査報告】
2015515783.tif 000016
2015515783.tif 000017